(57)【要約】【課題】電力供給元のデマンド要請に対して、利便性を損なうことなく、自動的に空気調和機の消費電力を抑えるよう設定を変更することが可能な電力管理装置を提供する。【解決手段】電力管理装置１は、消費電力量削減要請受信部１０１で受信した時間帯ごとの消費電力削減量のデータと、消費電力推定部１０４で推定した所定時間帯ごとの消費電力のデータと、運転状態−電力関係算出部１０５で算出した運転状態と電力との関係を示すデータと、設定入力部１０６で設定された動作条件のデータに基づいて、空気調和機２の消費電力を削減するためのデマンド制御の内容を演算するデマンド制御演算部１０７を備え、このデマンド制御演算部１０７で演算されたデマンド制御のデータに基づいて、時間帯ごとおよび空気調和機ごとにデマンド制御指令信号を送信する。【選択図】    図２
2014009824.tif 000002
【特許請求の範囲】
【請求項１】
内部ネットワークに接続された複数の空気調和機を制御する電力管理装置であって、
外部ネットワークに接続された端末から時間帯ごとの消費電力削減量のデータを取得する消費電力要請受信部と、
前記内部ネットワークに接続された前記複数の空気調和機の運転状態を監視する運転状態監視部と、
前記内部ネットワークに接続された複数の電力量計測器から対応する前記空気調和機の消費電力量のデータを取得する消費電力監視部と、
前記消費電力監視部を介して取得した、個々の前記空気調和機の消費電力のデータに基づいて、所定時間帯ごとの消費電力を推定する消費電力推定部と、
前記運転状態監視部を介して取得した、前記空気調和機の運転状態のデータと、前記消費電力監視部を介して取得した、前記空気調和機の消費電力のデータに基づいて、運転状態と電力との関係を算出する運転状態−電力関係算出部と、
前記空気調和機の動作条件を設定するための設定入力部と、
前記消費電力量削減要請受信部で受信した時間帯ごとの消費電力削減量のデータ、前記消費電力推定部で推定した所定時間帯ごとの消費電力のデータ、前記運転状態−電力関係算出部で算出した運転状態と電力との関係を示すデータ、および前記設定入力部で設定された動作条件のデータに基づいて、前記空気調和機の消費電力を削減するためのデマンド制御の内容を演算するデマンド制御演算部と、
前記デマンド制御演算部で演算されたデマンド制御のデータに基づいて、前記空気調和機のそれぞれに、時間帯ごとにデマンド制御指令信号を送信する制御指令送信部と、
前記運転状態監視部を介して取得した、前記空気調和機の運転状態のデータ、前記消費電力監視部を介して取得した、前記空気調和機の消費電力量のデータ、前記設定入力部を介して取得した、前記空気調和機の動作条件のデータ、および前記デマンド制御演算部で演算されたデマンド制御のデータを、時刻と対応させて蓄積する記憶装置と、
前記記憶装置に蓄積されたデマンド制御の条件データを表示するための表示部と、を備えたことを特徴とする電力管理装置。
【請求項２】
前記デマンド制御演算部で演算されたデマンド制御の内容を、前記空気調和機のそれぞれに付随するリモコンに通知するデマンド予定通知部をさらに備えたことを特徴とする、請求項１に記載の電力管理装置。
【請求項３】
前記デマンド予定通知部はさらに、前記デマンド制御演算部で演算されたデマンド制御の内容を、移動体端末または遠隔監視端末に通知することを特徴とする、請求項１または２に記載の電力管理装置。
【請求項４】
前記デマンド制御演算部はさらに、前記設定入力部から入力された空気調和機の物理的位置関係に関するデータに基づき、デマンド制御の演算において温度変化の偏りを考慮することを特徴とする請求項１〜３のいずれかに記載の電力管理装置。
【請求項５】
前記物理的位置関係は前記複数の空気調和機が複数のエリアに分割して設置されていることを示し、デマンド制御演算部は、前記エリアごとおよび時間帯ごとに前記デマンド制御の条件を演算することを特徴とする、請求項４に記載の電力管理装置。
【請求項６】
前記デマンド制御演算部は、前記デマンド制御の演算を、前記エリアごとに、温度設定変更、送風モード変更および停止制御変更の順に行うことを特徴とする、請求項５に記載の電力管理装置。
【請求項７】
前記デマンド制御演算部は、前記各エリア内に配置された空気調和機の電力量の総和がエリア内の使用可能電力量以下となったときの運転条件を、その時間帯におけるデマンド制御の内容とすることを特徴とする、請求項６に記載の電力管理装置。
【発明の詳細な説明】
【技術分野】
【０００１】
この発明は、複数の空気調和機を備えた空調管理システムにおいて個々の空気調和機の電力を管理する電力管理装置に関するものである。
【背景技術】
【０００２】
夏季などの猛暑により、空気調和機の一時的な消費電力が急増すると、電力会社などの電力供給元は、電力の供給不足に陥る場合がある。その場合に、電力供給元は、電力需要家に対して、デマンドレスポンスと呼ばれる電力の消費抑制を依頼・要請することがある。（例えば、非特許文献１参照）。
【０００３】
従来のデマンド制御としては、施設の使用電力に相当する指標を監視し、施設の使用電力に合わせて空調機器を省エネ制御することが可能な空調管理システムがあった（例えば、特許文献１参照）。
【先行技術文献】
【特許文献】
【０００４】
【特許文献１】特開２００４−３２４９８５号公報（図１）
【非特許文献】
【０００５】
【非特許文献１】村上  憲朗・村井エドワード著「「スマート日本」宣言」株式会社アスキー・メディアワークス出版、２０１１年８月１０日
【発明の概要】
【発明が解決しようとする課題】
【０００６】
特許文献１に記載された従来のデマンド制御は契約電力量を超えないように制御を行うもので、限定的な時間範囲において供給量が少なくなるような場合には対応することができない等の問題があった。そのために、システム管理者は空気調和機の設定を手動で変更する必要があり、その設定も消費電力削減にどの程度効果があるか不明確であった。
【０００７】
また、限定的な時間範囲において供給量が少なくなるような場合には、使用者はデマンドの実施予定時刻や内容を知ることができない問題があった。
【０００８】
この発明は、上記のような課題を解決するためになされたもので、その目的は、供給元からのデマンド要請に対して自動的にデマンド制御を行うことができる電力管理装置を得るものである。
【課題を解決するための手段】
【０００９】
上記従来の課題を解決するために、この発明における電力管理装置は、内部ネットワークに接続された複数の空気調和機を制御する電力管理装置であって、
外部ネットワークに接続された端末から時間帯ごとの消費電力削減量のデータを取得する消費電力要請受信部と、
前記内部ネットワークに接続された前記複数の空気調和機の運転状態を監視する運転状態監視部と、
前記内部ネットワークに接続された複数の電力量計測器から対応する前記空気調和機の消費電力量のデータを取得する消費電力監視部と、
前記消費電力監視部を介して取得した、個々の前記空気調和機の消費電力のデータに基づいて、所定時間帯ごとの消費電力を推定する消費電力推定部と、
前記運転状態監視部を介して取得した、前記空気調和機の運転状態のデータと、前記消費電力監視部を介して取得した、前記空気調和機の消費電力のデータに基づいて、運転状態と電力との関係を算出する運転状態−電力関係算出部と、
前記空気調和機の動作条件を設定するための設定入力部と、
前記消費電力量削減要請受信部で受信した時間帯ごとの消費電力削減量のデータ、前記消費電力推定部で推定した所定時間帯ごとの消費電力のデータ、前記運転状態−電力関係算出部で算出した運転状態と電力との関係を示すデータ、および前記設定入力部で設定された動作条件のデータに基づいて、前記空気調和機の消費電力を削減するためのデマンド制御の内容を演算するデマンド制御演算部と、
前記デマンド制御演算部で演算されたデマンド制御のデータに基づいて、前記空気調和機のそれぞれに、時間帯ごとにデマンド制御指令信号を送信する制御指令送信部と、
前記運転状態監視部を介して取得した、前記空気調和機の運転状態のデータ、前記消費電力監視部を介して取得した、前記空気調和機の消費電力量のデータ、前記設定入力部を介して取得した、前記空気調和機の動作条件のデータ、および前記デマンド制御演算部で演算されたデマンド制御のデータを、時刻と対応させて蓄積する記憶装置と、
前記記憶装置に蓄積されたデマンド制御の条件データを表示するための表示部と、を備えたことを特徴とする。
【発明の効果】
【００１０】
この発明における電力管理装置は、電力供給元のデマンド要請に対して、利便性を損なうことなく、空気調和機の消費電力を抑えるように自動的に設定を変更することができる。
【図面の簡単な説明】
【００１１】
【図１】本発明の実施の形態１における電力管理装置を採用した空調管理システムの構成の一例を示す図である。
【図２】実施の形態１における電力管理装置の具体的な構成を示す機能ブロック図である
【図３】実施の形態１における電力管理装置の消費電力の推定と運転状態−電力関係算出の各処理を示すフローチャートである。
【図４】実施の形態１における電力管理装置のデマンド制御の流れを示すフローチャートである。
【図５】電力管理装置によってデマンド制御を行う空調管理システムの各エリアの配置を示す図である。
【図６】電力供給元からのデマンド要請を受信してから電力管理装置がデマンド制御を実施するまでのスケジュールを示す図である。
【図７】電力管理装置のデマンド制御のスケジュールを作成する際の流れを示すフローチャートである。
【図８】図７の温度設定の変更（ステップＳ２４）における処理の流れを示すフローチャートである。
【図９】図７の送風モードの変更（ステップＳ２６）における処理の流れを示すフローチャートである。
【図１０】図７の停止制御の変更（ステップＳ２８）における処理の流れを示すフローチャートである。
【図１１】本発明の実施の形態２における電力管理装置を採用した空調管理システムの構成の一例を示す図である。
【図１２】実施の形態２における電力管理装置の具体的な構成を示す機能ブロック図である
【図１３】実施の形態２における電力管理装置のデマンド制御の流れを示すフローチャートである。
【発明を実施するための形態】
【００１２】
実施の形態１．
図１は、この発明の実施の形態１における電力管理装置を採用した空調管理システムの構成の一例を示す図である。ビルや事業所などに設置された空調管理システム７は、電力管理装置１、空気調和機２Ａ〜２Ｆ、空気調和機２Ａ〜２Ｆに付随するリモコン３Ａ〜３Ｆ、および空気調和機２Ａ〜２Ｆの消費電力を計測する電力量計測器４Ａ〜４Ｆで構成され、空気調和機２Ａ〜２Ｆ、リモコン３Ａ〜３Ｆおよび電力量計測器４Ａ〜４Ｆと電力管理装置１の間は、内部ネットワークを構成する通信線５により接続されている。
【００１３】
空気調和機２Ａ〜２Ｆは、同一フロアや同一居室などの物理的関係が近いエリア（６Ａ、６Ｂ）に分割され、エリア６Ａには空気調和機２Ａと２Ｂが設置され、エリア６Ｂには、空気調和機２Ｃ〜２Ｆが設置されている。
【００１４】
また、電力管理装置１は、インターネット等の外部ネットワーク８を介して電力供給元９内に設置された消費電力削減要請端末１０に接続されている。
【００１５】
図２は、電力管理装置１の具体的な構成を示す機能ブロック図である。図２に示すように、電力管理装置１は、消費電力要請受信部１０１、運転状態監視部１０２、消費電力監視部１０３、消費電力推定部１０４、運転状態−電力関係算出部１０５、設定入力部１０６、デマンド制御演算部１０７、制御指令送信部１０８、デマンド予定通知部１０９、記憶装置１１０および表示部１１１を備えている。
【００１６】
次に、本実施の形態における電力管理装置１の動作について、図３および図４のフローチャートを参照して説明する。最初に図３に基づいて、電力管理装置１の消費電力の推定と運転状態−電力関係の算出の各処理について説明する。
【００１７】
運転状態監視部１０２は、空気調和機２Ａ〜２Ｆから所定時間ごとに発停状態、制御状態、室内設定温度、室内計測温度、外気温度などの運転状態情報を取得する（ステップＳ１）。運転状態監視部１０２は、空気調和機２Ａ〜２Ｆから運転状態情報を取得した場合（ステップＳ１でＹｅｓ）、記憶装置１１０に空気調和機２Ａ〜２Ｆごとに時系列に沿って運転状態情報の履歴を蓄積する（ステップＳ２）。
【００１８】
次に消費電力監視部１０３は、電力量計測器４Ａ〜４Ｆから所定時間ごとに消費電力情報を取得する（ステップＳ３）。消費電力監視部１０３は、電力量計測器４Ａ〜４Ｆから消費電力情報を取得した場合は（ステップＳ３でＹｅｓ）、記憶装置１１０に電力量計測器４Ａ〜４Ｆごとに時系列に沿って消費電力情報の履歴を蓄積する（ステップＳ４）。
【００１９】
続いて消費電力推定部１０４は、記憶装置１１０に蓄積された履歴情報から、各空気調和機２Ａ〜２Ｆの時間帯ごとの消費電力の推定値を算出する（ステップＳ５）。また運転状態−電力関係算出部１０５は、記憶装置１１０に蓄積された履歴情報から、空気調和機ごとの運転状態と電力との関係を算出する（ステップＳ６）。
【００２０】
次に、図４に基づいて電力管理装置１のデマンド制御の流れを説明する。消費電力要請受信部１０１は、消費電力削減要請端末１０から電力供給元９での需給バランスなどから消費電力の削減が必要と判断されたときに要請されるデマンド要請量、すなわち時間帯ごとの消費電力削減量を取得する（ステップＳ１１）。
【００２１】
デマンド制御演算部１０７は、取得したデマンド要請量と、記憶装置１１０から読み出した消費電力の推定値から、各時間帯で使用可能な電力量を算出する（ステップＳ１２）。またデマンド制御演算部１０７は、各エリア６Ａ，６Ｂにおける空気調和機２Ａ〜２Ｆの台数に応じて、各時間帯での使用可能電力量を案分する（ステップＳ１３）。
【００２２】
続いてデマンド制御演算部１０７は、設定入力部１０６で設定された動作条件に沿って、エリア６Ａ，６Ｂごとに、空気調和機２Ａ〜２Ｆごとの運転状態と電力の関係から算出される消費電力が、各時間帯での使用可能電力量を超えないように制御対象となる空気調和機と、時間帯ごとの制御内容を決定する（ステップＳ１４）。
【００２３】
更にデマンド制御演算部１０７は、デマンド予定通知部１０９を介して、決定された時間帯ごとの制御内容を各リモコン３Ａ〜３Ｆに通知し、各リモコン３Ａ〜３Ｆは時間帯ごとの制御内容（予定）を表示する（ステップＳ１５）。
【００２４】
デマンド制御演算部１０７は、デマンド制御時刻になると、制御指令演算部１０８を介して、該当する空気調和機２Ａ〜２Ｆにデマンド制御指令信号を送信してデマンド制御を実施する（ステップＳ１６）。該当する空気調和機２Ａ〜２Ｆにデマンド制御指令信号を送信した後、実施記録の履歴情報は記憶装置１１０に蓄積される（ステップＳ１７）。記憶装置１１０に蓄積された履歴情報は、表示部１１１に表示していつでも確認できる。
【００２５】
次に、図５〜図１０を参照して、図４のフローチャートのステップＳ１４に示した「運転状態と電力の関係からエリア内の制御対象空気調和機の時間帯ごとの制御内容を決定」、すなわちエリアごとおよび時間帯ごとのデマンド制御の内容を算出する処理について、更に具体的に説明する。
【００２６】
図５に、本実施の形態の電力管理装置１によってデマンド制御を行う建物１１内の空調管理システム７ａの各エリア６Ｃ〜６Ｆの配置を示す。空調管理システム７ａは、空気調和機が２台設置された会議室エリア６Ｃ、８台設置された事務エリア６Ｄ、４台設置された事務エリア６Ｅ、３台設置された食堂エリア６Ｆ、および空気調和機が２台設置された来賓室エリア６Ｇに分割されている。
【００２７】
下記の表１に、図５に示した各エリアにおいてデマンド制御を行う際の条件を示す。また表２に表１の設定条件に挙げられたそれぞれの項目の定義を示す。
【００２８】
表１において、来賓室エリア６Ｇについては、その性格からデマンド制御が禁止されており、消費電力の削減は行われない。それ以外のエリア６Ｃ〜６Ｆについては変更できる温度範囲が定められている。また会議室エリア６Ｃについては、送風モードの変更が不可となっており、会議室エリア６Ｃと事務エリア６Ｄについては空気調和機の停止が不可となっている。更に食堂エリア６Ｆについては、昼食の時間中（１２：００〜１３：００）はデマンド制御の対象外となっている。
【００２９】
【表１】
2014009824.tif 000003
【００３０】
【表２】
2014009824.tif 000004
【００３１】
図６に、空調管理システム７ａにおいて、電力供給元９からのデマンド要請を受信してから電力管理装置１がデマンド制御を実行するまでのスケジュールを示す。図６の例では、７月２４日に電力供給元９から「７月２５日の１１時〜１４時は普段の８５％の電力に削除してください。」とのデマンド要請があった後デマンド制御を完了するまでのスケジュールが示されている。
【００３２】
図７〜図１０のフローチャートを参照して、電力管理装置１のデマンド制御演算部１０７で行われるデマンド制御のスケジュール作成の手順を説明する。デマンド制御のスケジュールはエリアごとおよび時間帯ごとに作成される。例えば、事務エリア６Ｄの１１時〜１２時、食堂エリア６Ｆの１３時〜１４時のように、エリアごとに１時間を単位として作成される。ただし、来賓室エリア６Ｇや食堂エリア６Ｆの１２時〜１３時のようにデマンド制御が禁止されているエリアおよび時間帯では、スケジュールは作成されない。
【００３３】
図７にスケジュールを作成する際の流れを示す。それぞれのエリア６Ｄ〜６Ｇにおける使用可能な電力量は、空調管理システム７ａにおける使用可能電力量をそれぞれのエリア６Ｃ〜６Ｇにある空気調和機２の数で案分することにより求められる。
【００３４】
最初に、デマンド制御演算部１０７は、記憶装置１１０から対象のエリアにおける設定条件を読み出し、デマンド制御が禁止されているか否かを判定する（ステップＳ２１）。対象のエリアにおいてデマンド制御が禁止されている場合（Ｙｅｓ）はスケジュールの算出を終了し、禁止されていない場合（Ｎｏ）は、次に該当時間帯がデマンド制御禁止時間であるか否かを判定する（ステップＳ２２）。
【００３５】
デマンド制御演算部１０７は、該当時間帯がデマンド制御禁止時間である場合（Ｙｅｓ）はスケジュールの算出を終了し、制御禁止時間でない場合（Ｎｏ）は、スケジュールの算出を開始する。
【００３６】
スケジュールの算出においては、温度設定の変更（ステップＳ２４）、送風モードの変更（ステップＳ２６）および停止制御の変更（ステップＳ２８）の順に行われ、これらの３つの処理が終わると、スケジュールの算出が終了する（ステップＳ３０）。図８に温度設定の変更の具体的な処理の流れ、図９に送風モードの変更の処理の流れ、図１０に停止制御の変更の処理の流れを示す。
【００３７】
図８に基づいて、温度設定の変更（ステップＳ２４）における処理の流れを説明する。デマンド制御演算部１０７は、設定条件より対象のエリアが温度の変更が可能か否かを判定し（ステップＳ２４１）、対象のエリアにおいて温度の変更が禁止されている場合（Ｙｅｓ）は送風モードの変更（ステップＳ２６）の処理に移行し、温度の変更が禁止されていない場合（Ｎｏ）は、空気調和機２の設定温度を変更しながら、エリア内の空気調和機２の電力量の総和が使用可能電力量以下になる条件を探す。
【００３８】
具体的には、エリア内の空気調和機２の温度を、冷房の場合は１℃上げ、暖房の場合は１℃下げ、台数を増やしながら個々の空気調和機２の電力量の総和が使用可能電力量以下になる状態を探し、１℃の上昇または下降ではその状態を実現できない場合、更に設定温度を１℃上昇または下降させながら同じ処理を繰り返す（ステップＳ２４２〜Ｓ２５２）。最終的に全ての空気調和機２の電力量が使用可能電力量以下になった時の、個々の空気調和機の温度を決定し、その値を記憶装置１１０に格納する（ステップＳ２４４またはＳ２４９においてＹｅｓ）。
【００３９】
一方、全ての空気調和機の温度を変更可能な最大の温度に設定しても、個々の空気調和機２の電力量の総和が使用可能電力量以下にならない場合（ステップＳ２４７においてＹｅｓ）は、送風モードの変更（ステップＳ２６）を行う。図９に基づき、送風モード変更の処理について説明する。
【００４０】
デマンド制御演算部１０７は、設定条件より対象のエリアにおいて送風モードの変更が可能か否かを判定し（ステップＳ２６１）、対象のエリアにおいて送風モードの変更が禁止されている場合（Ｙｅｓ）は停止制御の変更（ステップＳ２８）の処理に移行し、送風モードの変更が禁止されていない場合（Ｎｏ）は、次に運転モードが冷房であるか否かを判定する（ステップＳ２６２）。送風モードの変更は暖房時には意味をなさないため、運転モードが冷房でない場合は（ステップＳ２６２でＮｏ）、停止制御の変更（ステップＳ２８）の処理に移行する。
【００４１】
送風モードの変更（ステップＳ２６）の処理において、デマンド制御演算部１０７は、冷房から送風モードに変更する空気調和機２の台数を増やしながら、個々の空気調和機２の電力量の総和が使用可能電力量以下になる条件を探し、その条件になったらその条件を記憶装置１１０に格納する（ステップＳ２６３〜Ｓ２６６）。
【００４２】
一方、全ての空気調和機２を送風モードにしても、個々の空気調和機２の電力量の総和が使用可能電力量以下にならない場合（ステップＳ２６６でＮｏ）は、停止制御変更（ステップＳ２８）の処理を行う。図１０に基づき、停止制御変更の処理について説明する。
【００４３】
デマンド制御演算部１０７は、設定条件より対象のエリアにおいて停止制御の変更が可能か否かを判定し（ステップＳ２８１）、対象のエリアにおいて停止制御の変更が禁止されている場合（Ｙｅｓ）はスケジュールの作成を終了する。停止制御の変更が禁止されていない場合（Ｎｏ）は、運転を停止する空気調和機２の台数を増やしながら、個々の空気調和機２の電力量の総和が使用可能電力量以下になる条件を探し、その条件になったらスケジュールの作成を終了すると共に、その条件を記憶装置１１０に格納する（ステップＳ２８２〜Ｓ２８５）。上述のステップＳ２４〜Ｓ２８の処理を終えることによりスケジュール算出は終了する（ステップＳ３０）。
【００４４】
以上のように、本実施の形態における電力管理装置１によれば、供給元のデマンド要請に対して、利便性を損なうことなく、自動的に空気調和機２の消費電力を抑えるよう設定を変更することができる。またリモコン３を介してデマンド制御の実施予定を使用者に通知することができ、更にはデマンド制御によるエリアごとの温度変化の偏りを削減することができる。
【００４５】
実施の形態２．
この発明の実施の形態２における電力管理装置１ｂは、実施の形態１の電力管理装置１の構成に加え、外部ネットワーク８に接続された移動体端末や遠隔監視端末を介して、使用者にデマンド制御の予定を通知することを特徴とする。
【００４６】
図１１に、実施の形態２における空調管理システム７ｂの構成の一例を示す。図中、図１と同じ構成要素については同じ符号を用い、説明を省略する。以降においても同様とする。
【００４７】
図１１に示すように、本実施の形態における電力管理装置１ｂは、ネットワーク８を介して移動体端末２０１と遠隔監視端末２０２に接続されている。移動体端末２０１は、使用者が持ち運びを容易に行うことができる無線通信装置の一例であり、外部ネットワーク８に接続されている。また遠隔監視端末２０２は、ビルや事業所などに設置されている有線通信装置の一例であり、外部ネットワーク８に接続されている。
【００４８】
図１２に、本実施の形態における電力管理装置１ｂの構成を示す。図に示すように、本実施の形態の電力管理装置１ｂは、実施の形態１の電力管理装置１と比較すると、デマンド予定通知部１０９の代わりにデマンド予定通知部２０３を備える点が異なっている。
【００４９】
図１３のフローチャートを参照して、本実施の形態における電力管理装置１ｂの動作を説明する。図中、図４と同じステップについては同じ符号を用い、説明を省略する。
【００５０】
デマンド予定通知部２０３は、デマンド予定通知部１０９の動作に加えて、さらに、デマンド制御演算部１０７で決定された空気調和機２Ａ〜２Ｆごとのデマンド制御の内容と時間帯を、設定入力部１０６によって予め登録された移動体端末２０１と遠隔監視端末２０２に通知する（ステップＳ３１）。
【００５１】
従って、本実施の形態における電力管理装置１ｂによれば、電力管理装置１の効果に加え、外部ネットワーク８に接続された移動体端末２０１や遠隔監視端末２０２を介して、空気調和機２ごとのデマンド制御の内容を使用者に通知するようにしているので、空気調和機２ごとのデマンド制御の実施予定を一元管理できる。
【００５２】
なお、上述の各実施の形態では、空気調和機の制御処理を電力管理装置という独立した装置によって実現したが、それらの機能をコンピュータに実行させるためのプログラムとして実現することもできることは、言うまでもない。
【符号の説明】
【００５３】
１、１ｂ  電力管理装置
２、２Ａ〜２Ｆ  空気調和機
３Ａ〜３Ｆ  リモコン
４Ａ〜４Ｆ  電力量計測器
５  内部通信線
６Ａ〜６Ｇ  エリア
７、７ｂ、７ｃ  空調管理システム
８  外部ネットワーク
９  電力供給元
１０  消費電力削減要請端末
１１  建物
１０１  消費電力削減要請受信部
１０２  運転状態監視部
１０３  消費電力監視部
１０４  消費電力推定部
１０５  運転状態−電力関係算出部
１０６  設定入力部
１０７  デマンド制御演算部
１０８  制御指令送信部
１０９、２０３  デマンド予定通知部
１１０  記憶装置
１１１  表示部
２０１  移動体端末
２０２  遠隔監視端末
【図１】
2014009824.tif 000005
【図２】
2014009824.tif 000006
【図３】
2014009824.tif 000007
【図４】
2014009824.tif 000008
【図５】
2014009824.tif 000009
【図６】
2014009824.tif 000010
【図７】
2014009824.tif 000011
【図８】
2014009824.tif 000012
【図９】
2014009824.tif 000013
【図１０】
2014009824.tif 000014
【図１１】
2014009824.tif 000015
【図１２】
2014009824.tif 000016
【図１３】
2014009824.tif 000017